(57)【特許請求の範囲】
【請求項１】
パッケージアセンブリ（１）を製造する方法であって、
補助パッケージ（４１）を二次パッケージ（３）に取り付けるステップを備え、前記二次パッケージ（３）が一次パッケージ（２）に取り付けられた場合に、前記補助パッケージ（４１）が前記二次パッケージ（３）と前記一次パッケージ（２）との間に形成された空間内に配置され、
前記補助パッケージ（４１）を前記二次パッケージ（３）に取り付けるステップは、前記補助パッケージ（４１）の第１の部分を前記二次パッケージ（３）の取り外し可能な部分（５０）に取り付けるステップを備え、
前記取り外し可能な部分（５０）と異なる前記二次パッケージ（３）の一部又は前記一次パッケージ（２）の一部に前記補助パッケージ（４１）の第２の部分を取り付けるステップをさらに備える、
パッケージアセンブリ（１）を製造する方法。
【請求項２】
前記一次パッケージ（２）は、製品を含むように適合されており、前記補助パッケージ（４１）は、前記製品に関連したアイテム（４）を含むように適合される、請求項１に記載の方法。
【請求項３】
前記二次パッケージ（３）を前記一次パッケージ（２）に取り付けるステップをさらに備える、請求項１又は２に記載の方法。
【請求項４】
パッケージアセンブリ（１）であって、
アイテム（４）を含むように適合された補助パッケージ（４１）と、
一次パッケージ（２）に取り付けられるように適合された二次パッケージ（３）と、
を備え、前記補助パッケージ（４１）は、前記二次パッケージ（３）に取り付けられ、それによって、前記補助パッケージ（４１）は、前記二次パッケージ（３）が前記一次パッケージ（２）に取り付けられた場合に、前記二次パッケージ（３）と前記一次パッケージ（２）との間に形成された空間内に配置され、
弱化線（６４）によって分離された、前記二次パッケージ（３）に取り外し可能な部分（５０）をさらに備え、
前記補助パッケージ（４１）は、前記取り外し可能な部分（５０）に取り付けられる、
パッケージアセンブリ（１）。
【請求項５】
前記一次パッケージ（２）をさらに備える、請求項４に記載のパッケージアセンブリ（１）。
【請求項６】
前記一次パッケージ（２）は製品を含むように適合され、
前記補助パッケージ（４１）は前記製品に関連したアイテム（４）を含むように適合される、請求項５に記載のパッケージアセンブリ（１）。
【請求項７】
二次パッケージ（３）に成形されるべきブランク（３）であって、
トップパネル（３１）と、メインパネル（６５）と、取り外し可能な部分（５０）と、を備え、
前記メインパネル（６５）は、複数のメイン部分（３ａ、３ｂ、３ｃ）を形成するように長手方向における第１の弱化線（６１）によって分離され、前記複数のメイン部分（３ａ、３ｂ、３ｃ）のそれぞれは、アイテム（４）を収容する補助パッケージを受容するように適合され、
前記取り外し可能な部分（５０）は、前記トップパネル（３１）及び前記メイン部分（３ａ、３ｂ、３ｃ）の両方において延在しており、前記取り外し可能な部分（５０）は、第２の弱化線（６４）によって前記メイン部分（３ａ、３ｂ、３ｃ）から分離される、
ブランク（３）。
【請求項８】
前記第１の弱化線（６１）は、ミシン目部分（ＰＰ）を備える、請求項７に記載のブランク（３）。
【請求項９】
前記ミシン目部分（ＰＰ）は、複数の細かさで穿孔される、請求項８に記載のブランク（３）。
【請求項１０】
前記第１の弱化線（６１）は、カットスルー部分（ＣＰ）を備える、請求項７又は８に記載のブランク（３）。
【発明の詳細な説明】
【技術分野】
【０００１】
本発明は、パッケージアセンブリを製造する方法に関する。本発明は、パッケージアセンブリ及び二次パッケージに成形されるべきブランクに関する。
【背景技術】
【０００２】
食品パッケージ産業において、食品は複数の種類のパッケージに包装され、食品を末端消費者に販売する小売店に対するさらなる流通のための貯蔵場所に分配される。例えば果汁飲料、炭酸を含まない飲料、酪農製品、又はその派生物などの飲料のためのパッケージは、ポーションパッケージとファミリーパッケージとに分けることができる。それらのパッケージは、それらの各ボリュームサイズ及びそれ故に重量によって主に異なっている。特に、ポーションパッケージは、約８０ｍｌから数１００ｍｌまでの範囲における複数のボリュームにおいて利用可能である。ポーションパッケージは通常、一度に消費されており、その少ないボリュームに起因して大人だけではなく、子供やティーンエージャーにも適している。
【０００３】
非常に多くの場合に、一次パッケージの内容物と関連したアイテムは、製品が消費者に売られる場合に、同一物とともに包囲されるべきである。アイテムは、補助パッケージ内に配置されてもよい。ジュースのパッケージにとって、アイテムは、一次パッケージに取り付けられたプラスチックバッグの内側にあるストローとされる場合がある。従来の方法によれば、アイテムを有するそのような補助パッケージは多くの場合、一次パッケージの外側に取り付けられる。末端消費者が取り付けられたアイテムを使用するように意図した場合に、補助パッケージは、一次パッケージからはぎとられ、末端消費者は次いで、アイテムに到達するように補助パッケージを開くであろう。
【発明の概要】
【発明が解決しようとする課題】
【０００４】
補助パッケージに関する問題は、一次パッケージに補助パッケージを装着すること及び／又は一次パッケージに補助パッケージを取り付けることである。それ故に、先行技術の状態を改善する必要があり、一次パッケージに対する補助パッケージのための効率的な装着方法を提供する必要がある。
【課題を解決するための手段】
【０００５】
上記の問題を解決するために、かつ改善したパッケージアセンブリを提供するために、現状の技術を改善することが本発明の目的である。それらの目的及び他の目的は、パッケージアセンブリを製造する方法によって達成される。この方法は、補助パッケージを二次パッケージに取り付けるステップを備え、二次パッケージが一次パッケージに取り付けられた場合に、補助パッケージが二次パッケージと一次パッケージとの間に形成された空間内に配置される。上記の方法による複数の利点が存在する。一次パッケージは、一の場所において製造され且つ充填されてもよい。アイテムを収容する補助パッケージが設けられてもよい二次パッケージは、他の場所において製造されてもよい。二次パッケージは後ほど、一次パッケージを保持するように、かつ／又は、一次パッケージのための剛性を生み出すように、任意の適切な位置で１つまたは複数の一次パッケージに取り付けられてもよい。さらに、一の二次パッケージが複数の一次パッケージを保持するように使用される場合に、その二次パッケージには、同一の工程においてすべて、各一次パッケージのための一の補助パッケージが設けられてもよい。従って、（一次パッケージを含む）パッケージアセンブリ全体の製造プロセスの効率はさらに増大するだろう。
【０００６】
補助パッケージを二次パッケージに取り付けるステップは、補助パッケージの第１の部分を二次パッケージの取り外し可能なカバーに取り付けるステップを備えてもよい。そのような配置構成によって、補助パッケージは、カバーがパッケージアセンブリから取り外された場合に、カバーに追従するだろう。補助パッケージのリスク、及びしたがって、空間内にくっついてしまうアイテムのリスクはそれによって排除される。
【０００７】
この方法は、取り外し可能なカバーと異なる二次パッケージの一部又は一次パッケージの一部に補助パッケージの第２の部分を取り付けるステップをさらに備えてもよい。そのような配置構成によって、補助パッケージは、カバーが消費者によってパッケージアセンブリから取り外された場合に自動的に開封されるだろう。また、この方法は、二次パッケージを一次パッケージに取り付けるステップを備えてもよい。
【０００８】
第２の態様によれば、それらの目的及び他の目的は、アイテムを含むように適合された補助パッケージと、一次パッケージに取り付けられるように適合された二次パッケージと、を備える、パッケージアセンブリによって完全に又は少なくとも部分的に達成される。補助パッケージは二次パッケージに取り付けられ、それによって、補助パッケージは、二次パッケージが一次パッケージに取り付けられた場合に、二次パッケージと一次パッケージとの間に形成された空間内に配置される。一次パッケージは、製品を含むように適合されてもよく、補助パッケージは前記製品と関連したアイテムを含むように適合されてもよい。上記の利点と同じ利点が本発明の第２の態様に対しても適用される。
【０００９】
パッケージアセンブリは、二次パッケージが取り付けられた一次パッケージをさらに備えてもよい。実施形態において、二次パッケージは、弱化線によって二次パッケージの残りの部分から分離された取り外し可能な部分を有する。ここで、補助パッケージは、取り外し可能な部分に取り付けられてもよい。そのような配置構成によって、補助パッケージは、カバーがパッケージアセンブリから取り外された場合に、カバーに追従するだろう。補助パッケージのリスク、及びしたがって、空間内にくっついてしまうアイテムのリスクはそれによって排除される。
【００１０】
第３の態様によれば、それらの目的及び他の目的は、二次パッケージに成形されるべきブランクによって完全に又は少なくとも部分的に達成される。このブランクは、複数のメイン部分を形成するように長手方向における弱化線によって分離されるメインパネルを有する。複数のメイン部分のそれぞれは、アイテムを収容する補助パッケージを受容するように適合される。
【００１１】
弱化線は、ミシン目部分及び／又はカットスルー部分を備えてもよい。ミシン目部分は、複数の細かさで穿孔されてもよい。それらの部分は、互いからメイン部分の分離を容易にするために設けられる。
【００１２】
他の好ましい実施形態において、ブランクはメインパネル及び／又はトップパネル及び／又はボトムパネルを有する。トップパネル及び／又はボトムパネルは横方向における折り目線によってメインパネルから分離されており、メイン部分は、アイテムを収容する補助パッケージを受容するように適合される。
【００１３】
上記の利点と同じ利点が本発明の第３の態様にも適用される。
【００１４】
一般的に、特許請求の範囲におけるすべての用語は、本願明細書に明示的に規定されていない限り、技術分野におけるそれらの本来の意味に従って解釈されるべきである。「ａ／ａｎ／ｔｈｅ（要素、装置、構成要素、手段、ステップ等）」全ての言及は、特に明記しない限り、前記要素、装置、構成要素、手段、ステップ等の少なくとも１つの例に言及するものとして解釈されるべきである。  
【００１５】
「長手方向」との用語は、正面から見た場合に、パッケージアセンブリの垂直方向を意味する。
【００１６】
「横方向」との用語は、正面から見た場合に、パッケージアセンブリの水平方向を意味する。
【００１７】
本発明の上記の目的及び特徴、特徴、及び利点、ならびに追加の特徴は、添付した図面と合わせて参照する場合に、以下の図面及び本発明の好ましい実施形態の非限定的な説明を参照することによって、より完全に理解されるだろう。
【図面の簡単な説明】
【００１８】
【図１】本発明の一の実施形態によるパッケージアセンブリの背面図である。
【図２】本発明の他の実施形態によるパッケージアセンブリの背面図である。
【図３】一次パッケージに取り付けられた場合の、パッケージアセンブリの斜視図である。
【図４】本発明の一の実施形態によるブランクの正面図である。
【図５】本発明の他の実施形態によるブランクの正面図である。
【図６】本発明のさらなる他の実施形態によるブランクの正面図である。
【発明を実施するための形態】
【００１９】
図１は、本願発明の第１の実施形態によるパッケージアセンブリ１を示す。二次パッケージ３は、取付点４３を介してそれに取り付けられた３つの補助パッケージ４１を有する。補助パッケージ４１のそれぞれは、食品と関連したアイテム４を含む。アイテム４は図１においてストローである。二次パッケージ３は２つの弱化線６１をさらに有し、それらの弱化線６１に沿って二次パッケージ３は、分離されることができるように意図される。二次パッケージ３は、食品を含む一次パッケージに取り付けられように意図されており、それによって、補助パッケージ４１が一次パッケージと二次パッケージ３との間に位置付けられる。図１における二次パッケージ３は、３つの補助パッケージに取り付けられるように意図されており、それによって、それらは、使用者が消費のために弱化線６１でパッケージを分離する時まで、束になっている。
【００２０】
図２は、本願発明の第２の実施形態によるパッケージアセンブリ１を示す。二次パッケージ３は、取付点４３を介してそれに取り付けられた３つの補助パッケージ４１を有する。補助パッケージ４１のそれぞれは、食品と関連したアイテム４を含む。アイテム４は図２においてストローである。二次パッケージ３は２つの弱化線６１をさらに有し、それらの弱化線６１に沿って二次パッケージ３は、分離されることができるように意図される。二次パッケージ３は、食品を含む一次パッケージに取り付けられように意図されており、それによって、補助パッケージ４１が一次パッケージと二次パッケージ３との間に位置付けられる。図２における二次パッケージ３は、３つの補助パッケージに取り付けられるように意図されており、それによって、それらは、使用者が消費のために弱化線６１でパッケージを分離する時まで、束になっている。二次パッケージ３が一次パッケージに取り付けられる場合に、二次パッケージ３は、折り目線６２に沿って折り曲げられる。それによって、二次パッケージ３のトップパネル３１が一次パッケージの上部に位置し、ボトムパネル３２が一次パッケージの下部に位置する。補助パッケージ４１は、二次パッケージ３と一次パッケージとの間の空間内に位置される。
【００２１】
図２における二次パッケージ３は、一次パッケージに取り付けられた場合に取り外し可能なカバーを形成するように意図した、弱化線６４によって規定された取り外し可能な部分５０をさらに備える。補助パッケージ４１は、取付点６３において、取り外し可能な部分５０にさらに取り付けられる。それによって、補助パッケージ４１は、使用者が取り外し可能な部分５０を取り外し、補助パッケージ４１内のストロー４へのアクセスを得る場合に、取り外し可能な部分５０とともに引っ張られるであろう。
【００２２】
補助パッケージ４１はノッチ４２をさらに備える。このノッチ４２において、補助パッケージは、エンドユーザーが取り外し可能な部分５０を取り外す場合に破壊するように意図される。補助パッケージ４１がノッチ４２において破壊される場合に、アイテム４又はストローは、一次パッケージ２から補助パッケージ４１を取り外すことなく、補助パッケージ４１から露出され引き出される。
【００２３】
図３において、本願発明の更なる態様によるパッケージアセンブリ１は図示される。複数の一次パッケージ２は、単一の列において３つの一次パッケージを意味する３×１のパターンで配置される。一次パッケージ２は、ブリック形状（ｂｒｉｃｋ  ｓｈａｐｅ）構造であり、互いに隣に配置されるけれども、互いから分離される。パッケージアセンブリ１はまた、規定された３×１のパターンにおいて一次パッケージ２に取り付けられた二次パッケージ３を備える。
【００２４】
二次パッケージ３はボトムパネル３２を備え、前記パッケージはボトムパネル３２上に位置し、ボトムパネル３２にわずかに取り付けられる（図示せず）。例えば、小さな接着部分は、一次パッケージをボトムパネル３２に固定するために使用されることができる。二次パッケージ３はまたメインパネル３を備え、このメインパネル３はメイン部分３ａ〜３ｃを形成するために、長手方向Ｌにおいて２つの弱化線３６によって分割される。弱化線３６は、ミシン線であり、ボトルパネル（図示せず）において、カットアウト３７まで延在している。カットアウト及びミシン線は、消費者がアセンブリ１から個々のパッケージ２を容易に分離することができる。
【００２５】
空間１０は、一次パッケージ２と二次パッケージ３との間に形成される。この空間は、一次パッケージの食品内容物に関連したアイテム４を収容するように使用される。このアイテムは、取付点４３において一次パッケージ又は二次パッケージに取り付けられた補助パッケージ４１内に配置される。取付点４３は、例えば接着剤によって達成されてもよい。補助パッケージは、さらなる取付点６３において取り外し可能なカバー５０にさらに取り付けられる。ノッチ４２は、補助パッケージにおいて存在しており、そのノッチにおいて補助パッケージは、取り外し可能な部分５０が二次パッケージ３から取り外される場合に破壊するように意図され、それによって、アイテム４は最終消費者のために露出される。一の好ましい実施形態において、アイテム４は、一次パッケージ２の内容物を飲む場合に、消費者によって使用されるべきであるストローによって構成される。
【００２６】
二次パッケージ３はまたトップパネルを含み、このトップパネルは、単純な分離のためにミシン線３６ａによって異なる複数のトップ部分３１に分離される。トップパネル及びより具体的には、トップ部分３１は、一次パッケージの上側に取り付けられており、この例において一次パッケージの上部ノッチシールに取り付けられる。
【００２７】
空間を開くために、カバー５０はタブ又は蓋３５ａを備えており、この実施形態において、タブ又は蓋３５ａは上部分に配置される。消費者は例えば、縁部及びメイン部分３ａ〜３ｃに向けてタブ３５ａを引っ張ることができ、それによって、カバーをばらばらにし、ストローを有する空間へアクセス可能になるように開封される。
【００２８】
図４において、本願発明のさらなる実施形態によるブランク３が図示される。ブランク３は、メインパネル６５と、トップパネル３１と、ボトムパネル３２とを有する。トップパネル３１及びボトムパネル３２は、横方向の折り目線６２によってメインパネル６５から分離される。さらに、メインパネル６５は、複数のメイン部分３ａ〜３ｃを形成するように、長手方向における弱化線６１によって分離される。
【００２９】
図５において、ブランク３は、本願発明の他の実施形態に従って図示される。ブランク３は、メインパネル６５と、トップパネル３１、ボトムパネル３２とを有する。トップパネル３１及びボトムパネル３２は横方向における折り目線６２によってメインパネル６５から分離される。メインパネル６５は、複数のメイン部分３ａ〜３ｃを形成するように、長手方向における弱化線６１によって分離される。さらに、取り外し可能なカバー５０がブランク３に設けられる。このカバー５０は、トップ部分３１及びメイン部分３ａ〜３ｃの両方において延在しており、弱化線６４によってそれらの部分３１、３ａ〜３ｃから分離されてもよい。
【００３０】
図６において、ブランク３は本願発明のさらなる他の実施形態に従って図示される。ブランク３は、メインパネル６５と、トップパネル３１とを備える。トップパネル３１は、横方向における折り目線６２によってメインパネル６５から分離される。メインパネル６５は、複数のメイン部分３ａ〜３ｃを形成するように、長手方向における弱化線６１によって分離される。さらに、取り外し可能なカバー５０はブランク３に設けられる。カバー５０は、トップ部分３１及びメイン部分３ａ〜３ｃの両方において延在しており、弱化線６４によってそれらの部分３１、３ａ〜３ｃから分離されてもよい。
【００３１】
当業者は、本明細書に記載された実施形態における複数の変更が、添付した特許請求の範囲において規定される本願発明の技術的範囲を逸脱することなく可能であることを認識する。
【符号の説明】
【００３２】
１  パッケージアセンブリ
２  一次パッケージ
３  二次パッケージ、メインパネル、ブランク
３ａ，３ｂ，３ｃ  メイン部分
４  アイテム、ストロー
１０  空間
３１  トップパネル、トップ部分
３２  ボトムパネル
３５  蓋、タブ
３６  弱化線、ミシン線
３７  カットアウト
４１  部分
４１  補助パッケージ
４２  ノッチ
４３  取付点
５０  取り外し可能な部分、カバー
６１  弱化線
６２  目線
６３  取付点
６４  弱化線
６５  メインパネル
【図１】
0006661662.tif 000002
【図２】
0006661662.tif 000003
【図３】
0006661662.tif 000004
【図４】
0006661662.tif 000005
【図５】
0006661662.tif 000006
【図６】
0006661662.tif 000007